(57)【要約】【課題】複数の通信回線に接続可能で、目的や用途に応じてこれらの通信回線を自由に使い分けることが可能な通信装置を簡素な構成で実現できるようにする。【解決手段】複数種類の通信回線に対応して設けられた複数のインタフェース部１１ａ〜１１ｃと、当該インタフェース部１１ａ〜１１ｃより入力されるアナログ情報をアナログ／デジタル変換するＡ／Ｄ変換部１２と、当該Ａ／Ｄ変換部１２より出力されたデジタル情報に対して情報処理を行うＤＳＰ３１と、複数のインタフェース部１１ａ〜１１ｃの中から何れかを選択し、選択したインタフェース部より入力されるアナログ情報をＡ／Ｄ変換部１２に供給する入力スイッチ部１４とを備えることにより、複数種類の通信回線に対応して複数の通信装置を設ける必要をなくすとともに、複数種類の通信回線に対応して複数のＡ／Ｄ変換部を設ける必要もなくす。【選択図】        図１
2009159439.tif 000002
【特許請求の範囲】
【請求項１】
複数種類の通信回線に対応して設けられた情報通信のための複数のインタフェース部と、
上記複数のインタフェース部より入力されたアナログ情報をアナログ／デジタル変換するＡ／Ｄ変換部と、
上記Ａ／Ｄ変換部より出力されたデジタル情報に対して情報処理を行うデジタル情報処理部と、
上記複数のインタフェース部の中から何れかを選択し、選択したインタフェース部より入力されるアナログ情報を上記Ａ／Ｄ変換部に供給する入力スイッチ部とを備えたことを特徴とする通信装置。
【請求項２】
上記デジタル情報処理部より出力されたデジタル情報をデジタル／アナログ変換するＤ／Ａ変換部と、
上記複数のインタフェース部の中から何れかを選択し、選択したインタフェース部に対して、上記Ｄ／Ａ変換部より出力されるアナログ情報を供給する出力スイッチ部とを更に備え、
上記デジタル情報処理部は、上記複数種類の通信回線に対応した情報処理機能を持ち、上記Ａ／Ｄ変換部より出力されたデジタル情報に対して上記出力スイッチ部により選択されたインタフェース部の通信回線に対応した情報処理を行うことを特徴とする請求項１に記載の通信装置。
【請求項３】
上記複数種類のインタフェース部は、撮像装置が接続される第１の通信回線、異常検知用の監視センサが接続される第２の通信回線、上記撮像装置により撮像され上記デジタル情報処理部で処理された画像を送信するための第３の通信回線、および上記監視センサより出力され上記デジタル情報処理部で処理されたセンサ情報を送信するための第４の通信回線のそれぞれに対応するインタフェース部を含み、
定常時には上記第１の通信回線を選択し、上記監視センサによる異常検知時には上記第１の通信回線と上記第２の通信回線とを時分割的に選択するように上記入力スイッチ部を制御するとともに、上記定常時には上記第３の通信回線を選択し、上記による異常検知時には上記第３の通信回線と上記第４の通信回線とを時分割的に選択するように上記出力スイッチ部を制御する制御部を備えたことを特徴とする請求項２に記載の通信装置。
【発明の詳細な説明】
【技術分野】
【０００１】
本発明は通信装置に関し、特に、複数種類の通信回線を接続して情報通信を行うことが可能になされた通信装置に関するものである。
【背景技術】
【０００２】
現在、情報を通信することが可能なネットワークの種類が増え、目的や用途に応じて自由に使い分けることができるようになっている。ネットワークには大きく分けて、ＷＡＮ（Wide Area Network）とＬＡＮ（LocalArea Network）とがある。ＷＡＮは、インターネット、アナログ電話回線、携帯電話網などに代表される通信回線が該当する。ＬＡＮは、ＲＳ−２３２Ｃ等のシリアル回線、イーサネット（登録商標）、ＰＬＣ（Power Line Communications）による高速電力線通信、短距離無線通信規格の１つであるＺｉｇＢｅｅやＢｌｕｅｔｏｏｔｈ、無線ＬＡＮ、ＲＦＩＤ（Radio Frequency IDentification）を用いた無線通信などに代表される通信回線が該当する。
【０００３】
従来、これら各種のネットワークを通じて情報通信を行う通信装置は、図２に示すように、個々の通信回線や用途に合わせて個別に作られていた。例えば、パソコンをアナログ電話回線につなぐための装置としてアナログモデムが存在し、パソコンをインターネットにつなぐための装置としてブロードバンドルータが存在する。また、例えば家電をＺｉｇＢｅｅやＢｌｕｅｔｏｏｔｈで接続するためにはそれ専用の通信モジュールが必要であり、携帯電話網を使用するためにもそれ専用に用意された別個の通信モジュールが必要となる。
【０００４】
このように従来は、用途や使用する通信回線に応じて別々の通信装置あるいは通信モジュールが作られていた。このため、複数の通信回線を使用する用途のシステムを構築する場合には、使用する通信回線に応じて複数の通信装置あるいは通信モジュールを用意しなければならなかった。故に、構築されるシステムが煩雑なものになってしまうという問題があった。
【０００５】
なお、ＷＡＮおよびＬＡＮに接続された通信システムにおいて、マルチメディア情報の通信を行うとき、通信回線の接続状況や利用状況に応じて、通信回線を効率よく利用することができるようにした技術が提案されている（例えば、特許文献１参照）。
【特許文献１】特開平５−３１６２４８号公報
【発明の開示】
【発明が解決しようとする課題】
【０００６】
しかしながら、特許文献１に記載の通信システムは、Ｎ種類の通信回線が接続されている場合には、それぞれの通信回線に対応してＮ個の接続装置が必要である。そのため、システム全体の構成が煩雑なものになってしまうという問題は回避できない。
【０００７】
本発明は、このような問題を解決するために成されたものであり、ＷＡＮおよびＬＡＮの複数の通信回線に接続可能で、目的や用途などに応じてこれらの通信回線を自由に使い分けることが可能な通信装置（通信モジュールや通信用半導体チップの形態を含む）を簡素な構成で実現できるようにすることを目的とする。
【課題を解決するための手段】
【０００８】
上記した課題を解決するために、本発明では、複数種類の通信回線に対応して設けられた複数のインタフェース部と、当該複数のインタフェース部より入力されるアナログ情報をアナログ／デジタル変換するＡ／Ｄ変換部と、当該Ａ／Ｄ変換部より出力されたデジタル情報に対して情報処理を行うデジタル情報処理部と、複数のインタフェース部の中から何れかを選択し、選択した通信回線のインタフェース部より入力されるアナログ情報をＡ／Ｄ変換部に供給する入力スイッチ部とを備える。
【０００９】
本発明の他の態様では、デジタル情報処理部より出力されたデジタル情報をデジタル／アナログ変換するＤ／Ａ変換部と、複数のインタフェース部の中から何れかを選択し、選択した通信回線のインタフェース部に対して、Ｄ／Ａ変換部より出力されるアナログ情報を供給する出力スイッチ部とを更に備え、デジタル情報処理部は、Ａ／Ｄ変換部より出力されたデジタル情報に対して、出力スイッチ部により選択された通信回線に対応した情報処理を行うようにしている。
【発明の効果】
【００１０】
上記のように構成した本発明によれば、１つの通信装置が複数種類の通信回線に対応した複数のインタフェース部を持ち、当該複数種類の通信回線に対応した情報処理を１つのデジタル情報処理部で行うので、複数種類の通信回線に対応して複数の通信装置を設ける必要がない。また、複数種類の通信回線を通じて入力されるアナログ情報を１つのＡ／Ｄ変換部でアナログ／デジタル変換することができるので、複数種類の通信回線に対応して複数のＡ／Ｄ変換部を設ける必要もない。これにより、複数の通信回線に接続可能で、目的や用途に応じてこれらの通信回線を自由に使い分けることが可能な通信装置を簡素な構成で実現できる。
【００１１】
また、本発明の他の態様によれば、また、複数種類の通信回線を通じて出力するデジタル情報を１つのＤ／Ａ変換部でデジタル／アナログ変換することができるので、複数種類の通信回線に対応して複数のＤ／Ａ変換部を設ける必要もない。これにより、複数の通信回線に接続可能で、目的や用途に応じてこれらの通信回線を自由に使い分けることが可能な通信装置を更に簡素な構成で実現できる。
【発明を実施するための最良の形態】
【００１２】
以下、本発明の一実施形態を図面に基づいて説明する。図１は、本実施形態による通信装置の構成例を示すブロック図である。図１に示すように、本実施形態の通信装置１０は、複数種類の通信回線に対応して設けられた情報通信のための複数のインタフェース部１１ａ，１１ｂ，１１ｃ，２１ａ，２１ｂ，２１ｃを備えている。このうち、第１〜第３のインタフェース部１１ａ，１１ｂ，１１ｃはＷＡＮの通信回線に対応したものである（以下、これらをまとめて「ＷＡＮ用インタフェース部１１」と記す）。また、第４〜第６のインタフェース部２１ａ，２１ｂ，２１ｃはＬＡＮの通信回線に対応したものである（以下、これらをまとめて「ＬＡＮ用インタフェース部２１」と記す）。
【００１３】
具体的には、第１のインタフェース部１１ａは、インターネットに接続して情報通信を行うためのものである。第２のインタフェース部１１ｂは、アナログ電話回線に接続して情報通信を行うためのものである。第３のインタフェース部１１ｃは、携帯電話網に接続して情報通信を行うためのものである。第４のインタフェース部２１ａは、ＲＳ−２３２Ｃ等のシリアル回線に接続して情報通信を行うためのものである。第５のインタフェース部２１ｂは、イーサネットに接続して情報通信を行うためのものである。第６のインタフェース部２１ｃは、ＺｉｇＢｅｅの無線回線に接続して情報通信を行うためのものである。
【００１４】
本実施形態の通信装置１０は、上述したＷＡＮ用インタフェース部１１およびＬＡＮ用インタフェース部２１の他に、Ａ／Ｄ変換部１２，２２、Ｄ／Ａ変換部１３，２３、入力スイッチ部１４，２４、出力スイッチ部１５，２５、ＤＳＰ（Digital Signal Processor）３１および制御部３２を備えている。
【００１５】
Ａ／Ｄ変換部１２，２２は、上述した複数のインタフェース部１１，１２より入力されるアナログ情報をアナログ／デジタル変換するものである。具体的には、第１のＡ／Ｄ変換部１２は、ＷＡＮ用インタフェース部１１に接続されるインターネット、アナログ電話回線および携帯電話網を通じて外部より入力されるアナログ情報をアナログ／デジタル変換する。また、第２のＡ／Ｄ変換部２２は、ＬＡＮ用インタフェース部２１に接続されるシリアル回線、イーサネットおよびＺｉｇＢｅｅ回線を通じて外部より入力されるアナログ情報をアナログ／デジタル変換する。
【００１６】
ＤＳＰ３１は、本発明のデジタル情報処理部に相当するものであり、Ａ／Ｄ変換部１２，２２より出力されるデジタル情報に対して情報処理を行う。このＤＳＰ３１は、複数種類の通信回線、すなわち、ＷＡＮ用インタフェース部１１に接続されるインターネット、アナログ電話回線および携帯電話網と、ＬＡＮ用インタフェース部２１に接続されるシリアル回線、イーサネットおよびＺｉｇＢｅｅ回線とに対応した情報処理機能を持っている。ここで行う情報処理の内容は、情報通信に使用する通信回線およびその情報通信の用途や目的、更にその通信によって得られる情報の種類などに応じてあらかじめ決められている。
【００１７】
Ｄ／Ａ変換部１３，２３は、ＤＳＰ３１より出力される情報処理済みのデジタル情報をデジタル／アナログ変換するものである。このうち第１のＤ／Ａ変換部１３は、ＤＳＰ３１より出力されるデジタル情報であって、ＷＡＮ用インタフェース部１１に出力するためのデジタル情報をデジタル／アナログ変換する。また、第２のＤ／Ａ変換部２３は、ＤＳＰ３１より出力されるデジタル情報であって、ＬＡＮ用インタフェース部２１に出力するためのデジタル情報をデジタル／アナログ変換する。
【００１８】
入力スイッチ部１４，２４は、複数のインタフェース部１１，２１の中から何れかを選択し、選択したインタフェース部より入力されるアナログ情報をＡ／Ｄ変換部１２，２２に供給する。具体的には、第１の入力スイッチ部１４は、ＷＡＮ用インタフェース部１１である第１〜第３のインタフェース部１１ａ〜１１ｃの中から何れかを選択し、選択したインタフェース部より入力されるアナログ情報を第１のＡ／Ｄ変換部１２に供給する。また、第２の入力スイッチ部２４は、ＬＡＮ用インタフェース部２１である第４〜第６のインタフェース部２１ａ〜２１ｃの中から何れかを選択し、選択したインタフェース部より入力されるアナログ情報を第２のＡ／Ｄ変換部２２に供給する。
【００１９】
出力スイッチ部１５，２５は、複数のインタフェース部１１，２１の中から何れかを選択し、選択したインタフェース部に対して、Ｄ／Ａ変換部１３，２３より出力されるアナログ情報を供給する。具体的には、第１の出力スイッチ部１５は、ＷＡＮ用インタフェース部１１である第１〜第３のインタフェース部１１ａ〜１１ｃの中から何れかを選択し、選択したインタフェース部に対して、第１のＤ／Ａ変換部１３より出力されるアナログ情報を供給する。また、第２の出力スイッチ部２５は、ＬＡＮ用インタフェース部２１である第４〜第６のインタフェース部２１ａ〜２１ｃの中から何れかを選択し、選択したインタフェース部に対して、第２のＤ／Ａ変換部２３より出力されるアナログ情報を供給する。
【００２０】
上述のＤＳＰ３１は、Ａ／Ｄ変換部１２，２２より出力されたデジタル情報を入力し、当該に入力したデジタル情報に対して、出力スイッチ部１５，２５により選択されたインタフェース部の通信回線に対応した情報処理を行う。通信回線に対応した情報処理とは、情報通信に使用する通信回線およびその情報通信の用途などに応じてあらかじめ決められた情報処理であって、かつ、使用する通信回線の規格に形式を合わせるための情報処理のことを言う。
【００２１】
制御部３２は、上述した入力スイッチ部１４，２４、出力スイッチ部１５，２５およびＤＳＰ３１の動作を制御するものである。制御部３２は、あらかじめ設定された制御情報に従って、入力スイッチ部１４，２４、出力スイッチ部１５，２５およびＤＳＰ３１を固定的に動作させるように制御しても良いし、情報通信の状況に応じて入力スイッチ部１４，２４、出力スイッチ部１５，２５およびＤＳＰ３１の動作を動的に変えるように制御しても良い。
【００２２】
入力スイッチ部１４，２４、出力スイッチ部１５，２５およびＤＳＰ３１を固定的に動作させる場合は、例えば、ＷＡＮおよびＬＡＮとしてどの通信回線を使用するかの制御情報を制御部３２にあらかじめ設定する。制御情報の設定の仕方としては様々な方法が考えられる。例えば、通信装置１０に回線選択用のスイッチ（図示せず）を設け、ユーザがこのスイッチを操作することによって選択した通信回線を、使用する通信回線を表す制御情報として制御部３２に設定することが可能である。または、通信装置１０にインストールしているドライバソフトによってディスプレイ（通信装置１０自身のディスプレイでも良いし、通信装置１０に接続されるパソコン（図示せず）のディスプレイでも良い）上に表示される設定画面を通じてユーザが所望の通信回線を選択できるようにしても良い。
【００２３】
制御部３２に設定する制御情報は、以上のような使用する通信回線を表す情報に加えて、情報通信の用途も含む。この用途の設定も、例えば、通信装置１０にインストールしているドライバソフトによってディスプレイ上に表示される設定画面を通じてユーザが行うようにすることが可能である。例えば、第１のインタフェース部１１ａを通じてインターネットから情報を入力し、その入力情報をＤＳＰ３１で処理した後、第４のインタフェース部２１ａを通じてシリアル回線に出力するという用途を制御部３２に設定する。
【００２４】
制御部３２は、上述のようにして設定された通信回線に対応するインタフェース部を選択するように入力スイッチ部１４，２４および出力スイッチ部１５，２５を制御する。上述の例では、第１のインタフェース部１１ａを選択するように第１の入力スイッチ部１４を制御するとともに、第４のインタフェース部２１ａを選択するように第２の出力スイッチ部２５を制御する。また、制御部３２は、上述のようにして設定された情報通信の用途に応じてあらかじめ決められた情報処理を行うようにＤＳＰ３１を制御する。
【００２５】
一方、情報通信の状況に応じて入力スイッチ部１４，２４、出力スイッチ部１５，２５およびＤＳＰ３１の動作を動的に変える場合、制御部３２は以下のような制御を行うことが可能である。例えば、制御部３２がＷＡＮ用インタフェース部１１およびＬＡＮ用インタフェース部２１を監視し、情報入力があったかどうかを検出する。そして、制御部３２は、情報入力があったインタフェース部を選択するように入力スイッチ部１４，２４を制御する。このとき、１つの入力スイッチ部に繋がる複数のインタフェース部に情報入力があった場合、制御部３２は、例えば、情報入力があった複数のインタフェース部を時分割的に選択するように入力スイッチ部１４，２４を制御する。
【００２６】
また、制御部３２は、ＷＡＮ用インタフェース部１１およびＬＡＮ用インタフェース部２１を監視し、例えばどのインタフェース部から情報入力があったかを検出する。そして、制御部３２は、情報入力のあったインタフェース部に対して対として設定されている情報出力用のインタフェース部を選択するように出力スイッチ部１５，２５を制御する。さらに、制御部３２は、以上のように対として選択した２つのインタフェース部に応じてあらかじめ決められた情報処理を行うようにＤＳＰ３１を制御する。
【００２７】
以下に、以上のように構成した本実施形態による通信装置１０の利用例を説明する。ここでは一例として、本実施形態の通信装置１０を家屋の異常監視システム（不審人物侵入監視システム）に利用する場合について説明する。この異常監視システムは、例えば家を留守にするときに動作状態に設定して使用する。動作状態に設定されると、異常監視システムは、撮像装置（カメラ）により家屋の周辺を撮影するとともに、不審人物の家屋への侵入の有無を監視センサにより検出する。
【００２８】
本利用例では、例えば、第４のインタフェース部２１ａに繋がるシリアル回線（本発明の第１の通信回線に相当）の先にカメラを接続し、第６のインタフェース部２１ｃに繋がるＺｉｇＢｅｅ回線（本発明の第２の通信回線に相当）の先に監視センサを接続する。監視センサは、例えば人物などの物体を検出するセンサであり、家屋の玄関内などに設定する。また、カメラは玄関外の周辺を撮影可能な位置に設置する。なお、本利用例においてイーサネットは使用しない。
【００２９】
また、本利用例では、カメラにより撮影された監視画像（動画でも静止画でも良い）をＤＳＰ３１にて処理し、処理後の画像情報を第１のインタフェース部１１ａからインターネット（本発明の第３の通信回線に相当）上に送信する。一方、監視センサより出力されたセンサ情報をＤＳＰ３１にて処理し、処理後のセンサ情報を第２のインタフェース部１１ｂからアナログ電話回線（本発明の第４の通信回線に相当）上に送信する。インターネットおよびアナログ電話回線の先には、例えば警備会社のサーバが接続される。サーバに送信するセンサ情報は、ＤＳＰ３１が監視センサ出力に基づき生成した警告情報であって良い。なお、本例において携帯電話網は使用しない。
【００３０】
本利用例は、データ量の多い画像情報はインターネットでサーバに送信し、データ量の少ないセンサ情報はアナログ電話回線でサーバに送信するものである。センサ情報もインターネットでサーバに送信することは可能であるが、インターネットはアナログ電話回線に比べて不安定なネットワークであり、情報が途中で消失してしまったり、ネットワーク接続が切れてしまったりすることがある。センサ情報は家屋内に不審人物が侵入した場合に得られるものであるから、監視画像情報に比べて重要度は高い。よって、より安定して情報通信を行うことが可能なアナログ電話回線を使用してセンサ情報を送信することとしている。
【００３１】
この場合に制御部３２は、ＬＡＮ用インタフェース部２１に関して、定常時には、シリアル回線およびその先にカメラが繋がっている第４のインタフェース部２１ａを選択するように第２の入力スイッチ部２４を制御する。また、監視センサからセンサ情報が出力されたときには、制御部３２は、第４のインタフェース部２１ａと、ＺｉｇＢｅｅ回線およびその先に監視センサが繋がっている第６のインタフェース部２１ｃとを時分割的に選択するように第２の入力スイッチ部２４を制御する。
【００３２】
一方、ＷＡＮ用インタフェース部１１に関して、制御部３２は、定常時には、インターネットが繋がっている第１のインタフェース部１１ａを選択するように第１の出力スイッチ部２５を制御する。また、監視センサからセンサ情報が出力されたときには、制御部３２は、第１のインタフェース部１１ａと、アナログ電話回線が繋がっている第２のインタフェース部１１ｂとを時分割的に選択するように第１の出力スイッチ部２５を制御する。
【００３３】
以上詳しく説明したように、本実施形態では、複数種類の通信回線に対応して設けられた複数のインタフェース部１１，１２と、当該複数のインタフェース部１１，１２より入力されるアナログ情報をアナログ／デジタル変換するＡ／Ｄ変換部１２，２２と、当該Ａ／Ｄ変換部１２，２２より出力されたデジタル情報に対して情報処理を行うＤＳＰ３１と、複数のインタフェース部１１，１２の中から何れかを選択し、選択したインタフェース部より入力されるアナログ情報をＡ／Ｄ変換部１２，２２に供給する入力スイッチ部１４，２４とを備えている。
【００３４】
このような構成により、１つの通信装置１０が複数種類の通信回線に対応した複数のインタフェース部１１，１２を持ち、当該複数種類の通信回線に対応した情報処理を１つのＤＳＰ３１で行うことができるので、複数種類の通信回線に対応して複数の通信装置を設ける必要がない。また、複数種類のＷＡＮを通じて入力されるアナログ情報を１つのＡ／Ｄ変換部１２でアナログ／デジタル変換することができ、複数種類のＬＡＮを通じて入力されるアナログ情報を１つのＡ／Ｄ変換部２２でアナログ／デジタル変換することができるので、複数種類の通信回線に対応して複数のＡ／Ｄ変換部を設ける必要もない。
【００３５】
また、本実施形態では、ＤＳＰ３１より出力されたデジタル情報をデジタル／アナログ変換するＤ／Ａ変換部１３，２３と、複数のインタフェース部１１，１２の中から何れかを選択し、選択した通信回線のインタフェース部に対して、Ｄ／Ａ変換部１３，２３より出力されるアナログ情報を供給する出力スイッチ部１５，２５とを更に備え、ＤＳＰ３１は、Ａ／Ｄ変換部１２，２２より出力されたデジタル情報に対して、出力スイッチ部１５，２５により選択された通信回線に対応した情報処理を行うようにしている。
【００３６】
このような構成により、複数種類のＷＡＮを通じて出力するデジタル情報を１つのＤ／Ａ変換部１３でデジタル／アナログ変換することができ、複数種類のＬＡＮを通じて出力するデジタル情報を１つのＤ／Ａ変換部２３でデジタル／アナログ変換することができるので、複数種類の通信回線に対応して複数のＤ／Ａ変換部を設ける必要もない。
【００３７】
以上により、複数の通信回線に接続可能で、目的や用途に応じてこれらの通信回線を自由に使い分けることが可能な通信装置を簡素な構成で実現することができる。例えば、通信装置１０の各構成要素をＣＭＯＳ（Complementary Metal Oxide Semiconductor）等のＩＣチップに集積することが可能である。
【００３８】
なお、上記実施形態では、ＷＡＮの例としてインターネット、アナログ電話回線、携帯電話網を挙げたが、これに限定されるものではない。例えば、ＷｉＭＡＸ（Worldwide Interoperability for Microwave Access）を利用した通信回線を用いても良い。また、上記実施形態では、ＬＡＮの例としてシリアル回線、イーサネット、ＺｉｇＢｅｅ回線を挙げたが、これに限定されるものではない。例えば、ＰＬＣによる高速電力線通信回線、Ｂｌｕｅｔｏｏｔｈ、無線ＬＡＮ、ＲＦＩＤなどを用いた無線通信回線を用いても良い。
【００３９】
また、上記実施形態では、ＷＡＮ用インタフェース部１１として３つ、ＬＡＮ用インタフェース部２１として３つのインタフェース部を備える通信装置１０を例示したが、ＷＡＮ側もＬＡＮ側もインタフェース部の数がこれに限定されるものではない。
【００４０】
また、上記実施形態では、通信装置１０の適用例として監視システムを説明したが、これに限定されるものではない。これ以外のシステムにも適用可能なことは言うまでもない。
【００４１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００４２】
【図１】本実施形態による通信装置の構成例を示すブロック図である。
【図２】使用目的や通信回線毎に製品化された従来の通信装置の例を示す図である。
【符号の説明】
【００４３】
１０  通信装置
１１  ＷＡＮ用インタフェース部
１１ａ  インターネット用の第１のインタフェース部
１１ｂ  アナログ電話回線用の第２のインタフェース部
１１ｃ  携帯電話網用の第３のインタフェース部
２１  ＬＡＮ用インタフェース部
２１ａ  シリアル回線用の第４のインタフェース部
２１ｂ  イーサネット用の第５のインタフェース部
２１ｃ  ＺｉｇＢｅｅ用の第６のインタフェース部
１２，２２  Ａ／Ｄ変換部
１３，２３  Ｄ／Ａ変換部
１４，２４  入力スイッチ部
１５，２５  出力スイッチ部
３１  ＤＳＰ
３２  制御部
【図１】
2009159439.tif 000003
【図２】
2009159439.tif 000004